(57)【特許請求の範囲】
【請求項１】
トラス筋を、その上部をコンクリート板の上面から突出するように適宜間隔ごとに配筋するとともに、これらのトラス筋間に軽量充填材を適宜間隔で配設した中空プレキャストコンクリート板と、
所定の大きさのコンクリート板を所定のエリアに分割し、その一方のエリアに背の高いトラス筋を、その上部をコンクリート板の上面から突出させて適宜間隔ごとに配筋するとともに、これらのトラス筋間に軽量充填材を適宜間隔で配設し、他方のエリアには背の低いトラス筋を、その上部をコンクリート板の上面から突出させて適宜間隔ごとに配筋し、
前記背の高いトラス筋と背の低いトラス筋の端部をコンクリート板の所定箇所で長さ方向に重ね配筋した複合プレキャストコンクリート板とを梁間に配設し、
該複合プレキャストコンクリート板に隣接した中空プレキャストコンクリート板の隣接部には、前記軽量充填材よりも小さな小型軽量充填材を適宜間隔で配設し、これら小型軽量充填材間に複合プレキャストコンクリート板からの連結筋を配筋し、前記軽量充填材を配設した部分と配設しない部分との間に段差部を形成してトップコンクリートを打設したことを特徴とするコンクリートスラブ。
【請求項２】
請求項１に記載のコンクリートスラブを備えたことを特徴とする構築物。
【発明の詳細な説明】
【０００１】
【発明の属する技術分野】
本発明はコンクリートスラブおよびその構築物に関するものである。
【０００２】
【従来の技術】
鉄筋コンクリート造などの建物は、ほとんどがプレキャストコンクリート板によってスラブを構築している。このコンクリートスラブに各種配管のための段差部を構築するには、図８に示すように、一方のプレキャストコンクリート板３０を下側にずらして段差部３１を形成し、この段差部３１を補強するためにあばら筋３２を配筋したり、あるいは床のスラブ筋３３をベンド筋にしたりしていた。
【０００３】
【発明が解決しようとする課題】
しかし、上記のような段差部における配筋は複雑であるため、現場における鉄筋加工や施工に大変な手間がかかって、作業効率が悪かった。
【０００４】
本発明はこれらの問題に鑑みてなされたものであり、その目的は、コンクリートスラブに段差部を形成する際に、現場における鉄筋加工をなくすとともに、現場施工を容易にして作業効率の向上を図ることである。
【０００５】
【課題を解決するための手段】
以上の課題を解決するための手段は、請求項１の発明が、トラス筋を、その上部をコンクリート板の上面から突出するように適宜間隔ごとに配筋するとともに、これらのトラス筋間に軽量充填材を適宜間隔で配設した中空プレキャストコンクリート板と、
所定の大きさのコンクリート板を所定のエリアに分割し、その一方のエリアに背の高いトラス筋を、その上部をコンクリート板の上面から突出させて適宜間隔ごとに配筋するとともに、これらのトラス筋間に軽量充填材を適宜間隔で配設し、他方のエリアには背の低いトラス筋を、その上部をコンクリート板の上面から突出させて適宜間隔ごとに配筋し、
前記背の高いトラス筋と背の低いトラス筋の端部をコンクリート板の所定箇所で長さ方向に重ね配筋した複合プレキャストコンクリート板とを梁間に配設し、
該複合プレキャストコンクリート板に隣接した中空プレキャストコンクリート板の隣接部には、前記軽量充填材よりも小さな小型軽量充填材を適宜間隔で配設し、これら小型軽量充填材間に複合プレキャストコンクリート板からの連結筋を配筋し、前記軽量充填材を配設した部分と配設しない部分との間に段差部を形成してトップコンクリートを打設したことを特徴とする。
【０００６】
請求項１の発明によれば、背の高いトラス筋と背の低いトラス筋との高低差により、これらのエリア間に高低差が形成される。また背の高いトラス筋と背の低いトラス筋の端部が重ね配筋されたことにより、段差部と高い部分との境界部の強度が十分に確保される。
【０００７】
また請求項２の発明が、上記のコンクリートスラブを備えたことを特徴とする。
【０００８】
また請求項２の発明によれば、コンクリートスラブにおける段差部と高い部分の境界部における強度と、中空プレキャストコンクリート板の接合部における強度とが確保された構築物が構築できる。
【００１５】
【発明の実施の形態】
以下、本発明のプレキャストコンクリート板およびコンクリートスラブの実施の形態を図面に基づいて説明する。図１はプレキャストコンクリート板の平面図、図２の（１）は図１のＡ−Ａ線断面図、同図の（２）は同Ｂ−Ｂ線断面図である。
【００１６】
図１はプレキャストコンクリート板１を示し、平面矩形のコンクリート板２と、トラス筋３、４から構成されている。
【００１７】
前記プレキャストコンクリート板１は所定の大きさおよび所定の厚さを備えたものであり、これを二つのエリア５、６、すなわち二つの領域に分割し、そのうちの一方のエリア５に背の高いトラス筋３が３本、長辺方向に沿い、かつ短辺方向に適宜間隔をもって配筋されている。また、プレキャストコンクリート板１を所定のエリアに分割することは、単に二つの領域に分割するだけでなく、プレキャストコンクリート板１の平面における角部、短辺側部、長辺側部、中央部の所定領域を一方のエリアとすることができる。
【００１８】
このトラス筋３は、三角形状に配置された一本の上端筋７と二本の下端筋８とが波形のラチス筋９で接合された三角トラスであり、前記下端筋８がコンクリート板２内に埋設されて下部鉄筋１０に接合されているとともに、上部がコンクリート板２の上面から突出している。
【００１９】
これら背の高いトラス筋３間には、軽量充填材１１が適宜間隔ごとに配設されている。この軽量充填材１１は中空で、かつ背の高いトラス筋３とほぼ同じ高さに形成されている。この軽量充填材１１は軽量であり、かつ打設されるコンクリートによって圧壊しないものが用いられる。例えば、発泡ポリスチレンのようなピーズ型内発泡成形による合成樹脂発泡成形品が好適に使用される。しかし、その他にもエチレン系樹脂、プロピレン系樹脂等からなる発泡成形品等を使用することも可能である。なお、軽量充填材の材質としては、コンクリートに対する軽量部材であれば、特に限定するものではない。この他、軽量充填材として中空鋼管にすることもできる。
【００２０】
一方、前記エリアのうちの他方のエリア６には、背の低いトラス筋４が３本、長辺方向に沿い、かつ短辺方向に適宜間隔をもって配筋され、その端部が背の高いトラス筋３の端部に重ね配筋されている。この重ね配筋は少なくともラチス筋９の２山以上を重ね合わせている。
【００２１】
また背の低いトラス筋４は、背の高いトラス筋３と同一構成であるが、背の高いトラス筋３の約半分の高さしかなく、前記と同様に下端筋８がコンクリート板２内に埋設されて下部鉄筋１０に接合されているとともに、上部がコンクリート板２の上面から突出している。なお、背の低いトラス筋４間に軽量充填材１１は配設されていない。
【００２２】
これら背の高いトラス筋３と背の低いトラス筋４の高さは、段差の大きさに応じて決定され、例えば、段差を大きくするには、背の高いトラス筋３をさらに高くし、かつ背の低いトラス筋４をさらに低くする。
【００２３】
また、背の高いトラス筋３と背の低いトラス筋４の長さも、段差部の大きさに応じて決定され、例えば、面積の大きな段差部を構築する場合は背の低いトラス筋４をさらに長くし、かつ背の高いトラス筋３をさらに短くする。また端部の重ね配筋の重ね長さにより段差部における強度も自在に調節できる。
【００２４】
次に、上記のようなプレキャストコンクリート板１を使用したコンクリートスラブを、図３〜図７に基づいて説明する。図３はコンクリートスラブの平面図、図４は中空プレキャストコンクリート板の平面図、図５は図３のそれぞれの断面図である。
【００２５】
コンクリートスラブ１２は、大梁１３間に設置された中空プレキャストコンクリート板１４と、複合プレキャストコンクリート板１５と、これらの上に配筋された上部鉄筋１６、およびトップコンクリート１７から構成されている。前記複合プレキャストコンクリート板１５は中央部に２枚並んで配設され、これらの両側に中空プレキャストコンクリート板１４が配設されている。なお、複合プレキャストコンクリート板１５は２枚に限らず、１枚または２枚以上であってもよい。
【００２６】
中空プレキャストコンクリート板１４には、５本の背の高いトラス筋１８がコンクリート板１９の長辺方向に沿って、かつ短辺方向に適宜間隔をもって配筋されている。これらのトラス筋１８の下部はコンクリート板１９に埋設されるとともに、上部がコンクリート板１９の上面から突出し、この突出した背の高いトラス筋１８間に４つの軽量充填材２０が適宜間隔をもって配設されている。
【００２７】
一方、この中空プレキャストコンクリート板１４と隣接した複合プレキャストコンクリート板１５には、二分割したエリアの一方２１に背の高いトラス筋１８が配筋されるとともに、他方のエリア２２には背の低いトラス筋２３が配筋され、これらの端部が長辺方向に重ね配筋されて、ここにおける強度を確保している。この重ね配筋は少なくともラチス筋２４の２山以上が重ね合わされているが、これ以上重ね合わせることもできる。
【００２８】
また、背の低いトラス筋２３が配筋されたエリア２２を除く他の箇所には軽量充填材２０が配設されるとともに、中空プレキャストコンクリート板１４と複合プレキャストコンクリート板１５の接合部には、前記軽量充填材２０よりも小さな小型軽量充填材２５が適宜間隔をもって配設されている。そして、これらの小型軽量充填材２５間には、複合プレキャストコンクリート板１５からの連結筋２６がそれぞれ配筋されている。この軽量充填材２０および小型軽量充填材２５が配設されたエリヤ２１と、これらが配設されていないエリア２２との間には、図５に示すように、背の高いトラス筋１８と背の低いトラス筋２３との高低差、すなわち段差があり、これをもってトップコンクリート１７が打設されて段差部２７を形成せしめている。なお中空プレキャストコンクリート板１４の小型軽量充填材２５が配設された箇所には、背の高いトラス筋１８の半分の長さの補強用トラス筋１８ａが配筋されて、複合プレキャストコンクリート板１５との接合部を補強している。
【００２９】
上記のように、中空プレキャストコンクリート板１４と複合プレキャストコンクリート板１５の接合部に小型軽量充填材２５を配置すると、背の高いトラス筋１８および背の低いトラス筋２３の直交方向に多くの連結筋２６が配筋できるので、段差部２７における強度を十分に確保できる。また連結筋２６を適宜長さの三角トラスにすると強度がさらに大きくなり、段差部２７における２方向、すなわち縦横双方の強度が十分に確保できる。
【００３０】
また、中空プレキャストコンクリート板１４と複合プレキャストコンクリート板１５との接合部および、これらのプレキャストコンクリート板１４、１５と大梁１３との接合部にも連結筋２６がそれぞれ配筋されている。
【００３１】
図６は、図３のコンクリートスラブ１２において、中空プレキャストコンクリート板１４と複合プレキャストコンクリート板１５の接合部の小型軽量充填材２５に代わって軽量充填材２０が配設されたコンクリートスラブ１２ａであり、この点のみが図３のコンクリートスラブ１２と異なる構成である。なお、このコンクリートスラブ１２ａにおいて複合プレキャストコンクリート板１５は１枚または２枚以上であってもよい。
【００３２】
図７は複合プレキャストコンクリート板１５のみを使用して構築したコンクリートスラブ１２ｂであり、一方側にのみ段差部２７が形成されたものである。複合プレキャストコンクリート板１５同士の接合部には背の低いトラス筋２３間にわたって連結筋２６が配筋されている。
【００３３】
また、上記のコンクリートスラブ１２、１２ａ、１２ｂを使用して鉄骨造、鉄筋コンクリート造、鉄骨鉄筋コンクリート造の構築物を構築すると、コンクリートスラブに段差部をもうけた構築物となる（図示せず）。
【００３４】
【発明の効果】
所定の大きさのコンクリート板を所定のエリアに分割し、その一方のエリアに背の高いトラス筋を配筋するとともに、他方のエリアには背の低いトラス筋を配筋し、これらの高低差を利用してトップコンクリートを打設することにより、段差部のあるプレキャストコンクリート板が簡単に形成できる。
【００３５】
背の高いトラス筋と背の低いトラス筋の端部を、コンクリート板の所定箇所で長さ方向に重ね配筋したことにより、段差部と高い部分の境界部の強度を十分に確保できる。
【００３６】
現場における鉄筋加工や複雑な配筋作業をすることなく、簡単な現場施工、すなわちトップコンクリートを打設することにより段差部のあるコンクリートスラブが構築できる。
【００３７】
中空プレキャストコンクリート板と複合プレキャストコンクリート板とを梁間に設置し、その上にトップコンクリートを打設するだけで段差部のあるコンクリートスラブが構築できるので、施工性を高め、かつ作業効率の向上を図ることができる。
【００３８】
コンクリートスラブにおける段差部にも背の低いトラス筋が配筋されたので、段差部における強度を高めることができる。
【００３９】
複合プレキャストコンクリート板に隣接した中空プレキャストコンクリート板の隣接部に、前記軽量充填材よりも小さな小型軽量充填材を適宜間隔で配設し、これら小型軽量充填材間に複合プレキャストコンクリート板からの連結筋を多く配筋することができるので、中空プレキャストコンクリートとの接合部における強度を十分に確保することができる。
【００４０】
複合プレキャストコンクリート板に隣接した中空プレキャストコンクリート板の隣接部に、前記軽量充填材よりも小さな小型軽量充填材を適宜間隔で配設したことにより、複合プレキャストコンクリート板からの連結筋を多く配筋することができるので、大きなせん断力が作用する周辺部における段差部において荷重を縦横両方向、すなわちトラス筋および連結筋に沿って流すことができる。
【００４１】
コンクリートスラブにける段差部と高い部分の境界部おける強度と、中空プレキャストコンクリート板の接合部における強度とが確保された構築物が構築できる。
【図面の簡単な説明】
【図１】プレキャストコンクリート板の平面図である。
【図２】（１）は図１のＡ−Ａ線断面図、（２）は同Ｂ−Ｂ線断面図である。
【図３】コンクリートスラブの一部切欠平面図である。
【図４】中空プレキャストコンクリート板の平面図である。
【図５】（１）は図３のＣ−Ｃ線断面図、（２）は同Ｄ−Ｄ線断面図、（３）はコンクリートスラブの段差部の断面図である。
【図６】他のコンクリートスラブの一部切欠平面図である。
【図７】他のコンクリートスラブの一部切欠平面図である。
【図８】（１）〜（３）は従来のコンクリートスラブの段差部の断面図である。
【符号の説明】
１  プレキャストコンクリート板
２、１９  コンクリート板
３、１８  背の高いトラス筋
４、２３  背の低いトラス筋
５、２１  一方のエリア
６、２２  他方のエリア
１１、２０  軽量充填材
１２、１２ａ、１２ｂ  コンクリートスラブ
１４  中空プレキャストコンクリート板
１５  複合プレキャストコンクリート板
１７  トップコンクリート
２５  小型軽量充填材
２６  連結筋
２７  段差部
【図１】
0003751750.tif 000002
【図２】
0003751750.tif 000003
【図３】
0003751750.tif 000004
【図４】
0003751750.tif 000005
【図５】
0003751750.tif 000006
【図６】
0003751750.tif 000007
【図７】
0003751750.tif 000008
【図８】
0003751750.tif 000009